(57)【要約】【課題】収納部から繰り出された紙葉類を払出部またはリジェクト部に送る時間を短縮することができ、よって紙葉類を筐体の外部に払い出す処理にかかる時間を短縮することができる紙葉類処理装置および紙葉類処理方法を提供する。【解決手段】紙葉類処理装置（例えば、紙幣処理装置３）は、収納部（例えば、各紙幣収納庫７０、７２、７４）から搬送部６６に繰り出された紙葉類が筐体（例えば、内側筐体６０）の外部に払出可能であるか否かを判別する判別手段８２と、収納部から搬送部６６に繰り出された紙葉類の搬送先を払出部６４とし、当該紙葉類が、筐体の外部に払出不可であると判別手段８２により判別された紙葉類である場合には、この紙葉類の搬送先を払出部６４からリジェクト部（例えば、出金リジェクト部７６）に切り替えるよう搬送部６６の制御を行う制御部８０と、を備えている。【選択図】図２
2018194999.tif 000002
【特許請求の範囲】
【請求項１】
紙葉類を搬送する搬送部と、
前記搬送部に接続され、紙葉類を収納するとともに収納されている紙葉類を前記搬送部に繰り出し可能な収納部と、
前記収納部から前記搬送部に繰り出された紙葉類が筐体の外部に払出可能であるか否かを判別する判別手段と、
前記搬送部に接続され、当該搬送部から送られた紙葉類を筐体の外部に払い出すために集積する払出部と、
前記搬送部に接続され、筐体の外部に払出不可であると前記判別手段により判別された紙葉類が集積されるリジェクト部と、
前記収納部から前記搬送部に繰り出された紙葉類の搬送先を前記払出部とし、当該紙葉類が、筐体の外部に払出不可であると前記判別手段により判別された紙葉類である場合には、この紙葉類の搬送先を前記払出部から前記リジェクト部に切り替えるよう前記搬送部の制御を行う制御部と、
を備えた、紙葉類処理装置。
【請求項２】
前記払出部には、当該払出部に集積されている紙葉類を前記搬送部に繰り出す繰出機構が設けられている、請求項１記載の紙葉類処理装置。
【請求項３】
前記制御部は、前記払出部に集積された紙葉類が、筐体の外部に払出不可であると前記判別手段により判別された紙葉類である場合には、この紙葉類を前記繰出機構により前記払出部から前記搬送部に繰り出して当該搬送部により前記リジェクト部に送るよう前記繰出機構および前記搬送部の制御を行う、請求項２記載の紙葉類処理装置。
【請求項４】
前記収納部から前記搬送部に繰り出された紙葉類が前記払出部に集積されるまでに前記判別手段による判別結果が判明するようになっており、
前記制御部は、前記収納部から前記搬送部に繰り出された後、前記払出部に集積される前の紙葉類が、筐体の外部に払出不可であると前記判別手段により判別された紙葉類である場合には、この紙葉類を前記払出部に送ることなく前記リジェクト部に送るよう前記搬送部の制御を行う、請求項１記載の紙葉類処理装置。
【請求項５】
前記搬送部により搬送される紙葉類の搬送先を前記払出部に切り替える分岐部を更に備え、
前記収納部から前記搬送部に繰り出された紙葉類が前記分岐部と前記払出部との間に存在するときに前記判別手段による判別結果が判明するようになっている、請求項４記載の紙葉類処理装置。
【請求項６】
前記搬送部は周回搬送部分および前記周回搬送部分から枝分かれした複数の接続搬送部分を有しており、各前記接続搬送部分に前記収納部、前記払出部および前記リジェクト部がそれぞれ接続されており、
前記制御部は、前記収納部から前記搬送部に繰り出された紙葉類を、前記搬送部の前記周回搬送部分を一周させずに前記払出部に向かって送るよう前記搬送部を制御する、請求項１乃至５のいずれか一項に記載の紙葉類処理装置。
【請求項７】
前記収納部から前記搬送部に繰り出された紙葉類が前記周回搬送部分から前記払出部に接続される前記接続搬送部分に送られた後に前記判別手段による判別結果が判明するようになっており、
前記制御部は、前記収納部から前記搬送部に繰り出された紙葉類が、筐体の外部に払出不可であると前記判別手段により判別された紙葉類である場合には、前記払出部に接続される前記接続搬送部分から前記周回搬送部分にこの紙葉類を戻した後、当該周回搬送部分から前記リジェクト部に接続される前記接続搬送部分に送るよう前記搬送部を制御する、請求項６記載の紙葉類処理装置。
【請求項８】
前記制御部は、前記収納部から前記搬送部に繰り出された紙葉類が、筐体の外部に払出不可であると前記判別手段により判別された紙葉類である場合における前記接続搬送部分から前記周回搬送部分に戻された紙葉類の前記周回搬送部分での搬送方向が、前記収納部から前記搬送部に繰り出された紙葉類を前記払出部に向かって送る際の前記周回搬送部分での紙葉類の搬送方向と同じとなるよう前記搬送部を制御する、請求項７記載の紙葉類処理装置。
【請求項９】
前記制御部は、前記収納部から前記搬送部に繰り出された紙葉類が、筐体の外部に払出不可であると前記判別手段により判別された紙葉類である場合における前記接続搬送部分から前記周回搬送部分に戻された紙葉類の前記周回搬送部分での搬送方向が、前記収納部から前記搬送部に繰り出された紙葉類を前記払出部に向かって送る際の前記周回搬送部分での紙葉類の搬送方向と逆となるよう前記搬送部を制御する、請求項７記載の紙葉類処理装置。
【請求項１０】
収納部から搬送部に紙葉類を繰り出し、繰り出された紙葉類を当該搬送部により搬送する工程と、
前記収納部から前記搬送部に繰り出された紙葉類の搬送先を払出部とする工程と、
前記収納部から前記搬送部に繰り出された紙葉類が筐体の外部に払出可能であるか否かを判別する工程と、
前記収納部から前記搬送部に繰り出された紙葉類が、筐体の外部に払出不可であると判別された紙葉類である場合には、この紙葉類の搬送先を前記払出部からリジェクト部に切り替える工程と、
を備えた、紙葉類処理方法。
【請求項１１】
前記払出部に集積された紙葉類が、筐体の外部に払出不可であると判別された紙葉類である場合には、この紙葉類を前記払出部から前記搬送部に繰り出して当該搬送部により前記リジェクト部に送るようになっている、請求項１０記載の紙葉類処理方法。
【請求項１２】
前記収納部から前記搬送部に繰り出された紙葉類が前記払出部に集積されるまでに筐体の外部に払出不可であるか否かの判別結果が判明するようになっており、
前記収納部から前記搬送部に繰り出された後、前記払出部に集積される前の紙葉類が、筐体の外部に払出不可であると判別された紙葉類である場合には、この紙葉類は前記払出部に送られることなく前記リジェクト部に送られる、請求項１０記載の紙葉類処理方法。
【発明の詳細な説明】
【技術分野】
【０００１】
本発明は、紙幣等の紙葉類の処理を行う紙葉類処理装置および紙葉類処理方法に関する。
【背景技術】
【０００２】
スーパーマーケットやコンビニエンスストア等の商業施設の店舗において、商品棚が設置されるフロント領域の精算所には貨幣釣銭機がＰＯＳレジスタとともに設置され、また、顧客が立ち入ることができないバックヤード領域には出納機等の入出金機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。このような貨幣釣銭機は、売上金としての硬貨の入金処理を行うとともに釣銭としての硬貨の出金処理を行う硬貨釣銭機と、売上金としての紙幣の入金処理を行うとともに釣銭としての紙幣の出金処理を行う紙幣釣銭機とを備えている。ここで、紙幣釣銭機において紙幣の出金処理が行われる際に、収納部に収納されている紙幣が搬送部に１枚ずつ繰り出され、この繰り出された紙幣は搬送部により搬送され、このときに当該搬送部に設けられた識別部により識別されるようになっている。そして、識別部により正常であると識別された紙幣は搬送部により払出部に送られ、当該払出部に集積されるようになる。出金されるべき紙幣が全て払出部に集積されると、操作者は払出部から筐体の外部に紙幣を取り出すことができるようになる。一方、識別部によって搬送異常等により正常ではないと識別された紙幣は搬送部によりリジェクト部に送られ、当該リジェクト部に集積されるようになる。このような紙幣釣銭機としては例えば特許文献１等に開示されるものが従来から知られている。
【先行技術文献】
【特許文献】
【０００３】
【特許文献１】特開２００７−９４６６５号公報
【発明の概要】
【発明が解決しようとする課題】
【０００４】
特許文献１等に開示されるような従来の紙幣釣銭機では、紙幣の出金処理が行われる際に、収納部から繰り出された、出金されるべき紙幣を識別部により識別した後に、当該識別部による識別結果に基づいて搬送部から当該紙幣を分岐させることにより識別後の紙幣を払出部またはリジェクト部に送るようになっている。しかしながら、このような従来の紙幣釣銭機では、収納部から繰り出された紙幣を識別部により識別した後に、当該識別部による識別結果に基づいて搬送部から当該紙幣を分岐させているため、収納部から繰り出された紙幣を払出部またはリジェクト部に送る時間が長くなってしまい、よって出金処理にかかる時間も長くなってしまうという問題がある。
【０００５】
本発明は、このような点を考慮してなされたものであり、収納部から繰り出された紙葉類を払出部またはリジェクト部に送る時間を短縮することができ、よって紙葉類を筐体の外部に払い出す処理にかかる時間を短縮することができる紙葉類処理装置および紙葉類処理方法を提供することを目的とする。
【課題を解決するための手段】
【０００６】
本発明の紙葉類処理装置は、紙葉類を搬送する搬送部と、前記搬送部に接続され、紙葉類を収納するとともに収納されている紙葉類を前記搬送部に繰り出し可能な収納部と、前記収納部から前記搬送部に繰り出された紙葉類が筐体の外部に払出可能であるか否かを判別する判別手段と、前記搬送部に接続され、当該搬送部から送られた紙葉類を筐体の外部に払い出すために集積する払出部と、前記搬送部に接続され、筐体の外部に払出不可であると前記判別手段により判別された紙葉類が集積されるリジェクト部と、前記収納部から前記搬送部に繰り出された紙葉類の搬送先を前記払出部とし、当該紙葉類が、筐体の外部に払出不可であると前記判別手段により判別された紙葉類である場合には、この紙葉類の搬送先を前記払出部から前記リジェクト部に切り替えるよう前記搬送部の制御を行う制御部と、を備えたことを特徴とする。
【０００７】
このような紙葉類処理装置によれば、収納部から搬送部に繰り出された紙葉類の搬送先を払出部とし、当該紙葉類が、筐体の外部に払出不可であると判別された紙葉類である場合には、この紙葉類の搬送先を払出部からリジェクト部に切り替えることにより、収納部から繰り出された紙葉類を払出部またはリジェクト部に送る時間を短縮することができ、よって紙葉類を筐体の外部に払い出す処理にかかる時間を短縮することができる。
【０００８】
本発明の紙葉類処理装置においては、前記払出部には、当該払出部に集積されている紙葉類を前記搬送部に繰り出す繰出機構が設けられていてもよい。
【０００９】
この場合、前記制御部は、前記払出部に集積された紙葉類が、筐体の外部に払出不可であると前記判別手段により判別された紙葉類である場合には、この紙葉類を前記繰出機構により前記払出部から前記搬送部に繰り出して当該搬送部により前記リジェクト部に送るよう前記繰出機構および前記搬送部の制御を行うようになっていてもよい。
【００１０】
また、前記収納部から前記搬送部に繰り出された紙葉類が前記払出部に集積されるまでに前記判別手段による判別結果が判明するようになっており、前記制御部は、前記収納部から前記搬送部に繰り出された後、前記払出部に集積される前の紙葉類が、筐体の外部に払出不可であると前記判別手段により判別された紙葉類である場合には、この紙葉類を前記払出部に送ることなく前記リジェクト部に送るよう前記搬送部の制御を行うようになっていてもよい。
【００１１】
この場合、本発明の紙葉類処理装置は、前記搬送部により搬送される紙葉類の搬送先を前記払出部に切り替える分岐部を更に備え、前記収納部から前記搬送部に繰り出された紙葉類が前記分岐部と前記払出部との間に存在するときに前記判別手段による判別結果が判明するようになっていてもよい。
【００１２】
本発明の紙葉類処理装置においては、前記搬送部は周回搬送部分および前記周回搬送部分から枝分かれした複数の接続搬送部分を有しており、各前記接続搬送部分に前記収納部、前記払出部および前記リジェクト部がそれぞれ接続されており、前記制御部は、前記収納部から前記搬送部に繰り出された紙葉類を、前記搬送部の前記周回搬送部分を一周させずに前記払出部に向かって送るよう前記搬送部を制御するようになっていてもよい。
【００１３】
この場合、前記収納部から前記搬送部に繰り出された紙葉類が前記周回搬送部分から前記払出部に接続される前記接続搬送部分に送られた後に前記判別手段による判別結果が判明するようになっており、前記制御部は、前記収納部から前記搬送部に繰り出された紙葉類が、筐体の外部に払出不可であると前記判別手段により判別された紙葉類である場合には、前記払出部に接続される前記接続搬送部分から前記周回搬送部分にこの紙葉類を戻した後、当該周回搬送部分から前記リジェクト部に接続される前記接続搬送部分に送るよう前記搬送部を制御するようになっていてもよい。
【００１４】
また、前記制御部は、前記収納部から前記搬送部に繰り出された紙葉類が、筐体の外部に払出不可であると前記判別手段により判別された紙葉類である場合における前記接続搬送部分から前記周回搬送部分に戻された紙葉類の前記周回搬送部分での搬送方向が、前記収納部から前記搬送部に繰り出された紙葉類を前記払出部に向かって送る際の前記周回搬送部分での紙葉類の搬送方向と同じとなるよう前記搬送部を制御するようになっていてもよい。
【００１５】
あるいは、前記制御部は、前記収納部から前記搬送部に繰り出された紙葉類が、筐体の外部に払出不可であると前記判別手段により判別された紙葉類である場合における前記接続搬送部分から前記周回搬送部分に戻された紙葉類の前記周回搬送部分での搬送方向が、前記収納部から前記搬送部に繰り出された紙葉類を前記払出部に向かって送る際の前記周回搬送部分での紙葉類の搬送方向と逆となるよう前記搬送部を制御するようになっていてもよい。
【００１６】
本発明の紙葉類処理方法は、収納部から搬送部に紙葉類を繰り出し、繰り出された紙葉類を当該搬送部により搬送する工程と、前記収納部から前記搬送部に繰り出された紙葉類の搬送先を払出部とする工程と、前記収納部から前記搬送部に繰り出された紙葉類が筐体の外部に払出可能であるか否かを判別する工程と、前記収納部から前記搬送部に繰り出された紙葉類が、筐体の外部に払出不可であると判別された紙葉類である場合には、この紙葉類の搬送先を前記払出部からリジェクト部に切り替える工程と、を備えたことを特徴とする。
【００１７】
このような紙葉類処理方法によれば、収納部から搬送部に繰り出された紙葉類の搬送先を払出部とし、当該紙葉類が、筐体の外部に払出不可であると判別された紙葉類である場合には、この紙葉類の搬送先を払出部からリジェクト部に切り替えることにより、収納部から繰り出された紙葉類を払出部またはリジェクト部に送る時間を短縮することができ、よって紙葉類を筐体の外部に払い出す処理にかかる時間を短縮することができる。
【００１８】
本発明の紙葉類処理方法においては、前記払出部に集積された紙葉類が、筐体の外部に払出不可であると判別された紙葉類である場合には、この紙葉類を前記払出部から前記搬送部に繰り出して当該搬送部により前記リジェクト部に送るようになっていてもよい。
【００１９】
また、前記収納部から前記搬送部に繰り出された紙葉類が前記払出部に集積されるまでに筐体の外部に払出不可であるか否かの判別結果が判明するようになっており、前記収納部から前記搬送部に繰り出された後、前記払出部に集積される前の紙葉類が、筐体の外部に払出不可であると判別された紙葉類である場合には、この紙葉類は前記払出部に送られることなく前記リジェクト部に送られてもよい。
【発明の効果】
【００２０】
本発明の紙葉類処理装置および紙葉類処理方法によれば、収納部から繰り出された紙葉類を払出部またはリジェクト部に送る時間を短縮することができ、よって紙葉類を筐体の外部に払い出す処理にかかる時間を短縮することができる。
【図面の簡単な説明】
【００２１】
【図１】本発明の実施の形態による紙幣処理装置を備えた貨幣処理機の構成を示す斜視図である。
【図２】図１に示す貨幣処理機における紙幣処理装置の内部を上方から鉛直方向下方に向かって見たときの構成を示す構成図である。
【図３】図２に示す紙幣処理装置の制御系の構成を示す機能ブロック図である。
【図４】図２に示す紙幣処理装置において紙幣の出金処理が行われる際の動作の一例を示すフローチャートである。
【図５】図２に示す紙幣処理装置において紙幣の出金処理が行われる際の動作の他の例を示すフローチャートである。
【図６】変形例に係る紙幣処理装置の内部を上方から鉛直方向下方に向かって見たときの構成を示す構成図である。
【発明を実施するための形態】
【００２２】
以下、図面を参照して本発明の実施の形態について説明する。図１乃至図３は、本実施の形態に係る紙幣処理装置およびこのような紙幣処理装置を備えた貨幣処理機を示す図である。また、図４および図５は、それぞれ、図２に示す紙幣処理装置において紙幣の出金処理が行われる際の動作の様々な例を示すフローチャートである。
【００２３】
コンビニエンスストアやスーパーマーケット等の商業施設の店舗において、顧客が立ち入ることができるフロント領域には様々な商品が陳列された商品棚が設置されているとともに、このフロント領域の精算所には図１に示すような貨幣処理機１（貨幣釣銭機）やＰＯＳレジスタが設置されている。顧客がこのような精算所で精算処理を行う際に、店員は、顧客から受け取った商品の代金としての貨幣を貨幣釣銭機としての貨幣処理機１に入金したり、釣銭としての貨幣を貨幣処理機１から出金して顧客に返却したりするようになっている。また、ＰＯＳレジスタにより、顧客が購入した商品に係る情報や貨幣処理機１に収納されている貨幣に係る情報等の管理が行われるようになっている。また、このような店舗における顧客の立ち入りが禁止されたバックヤード領域（具体的には、例えば入金室）には、貨幣処理機１から回収された売上金としての貨幣を入金する出納機等の貨幣入出金機が設置されている。また、貨幣処理機１において釣銭としての貨幣が不足する場合には、貨幣入出金機から釣銭補充金としての貨幣を出金し、この貨幣入出金機から出金された釣銭補充金としての貨幣を貨幣処理機１に補充することができるようになっている。このような貨幣処理機１および当該貨幣処理機１を構成する紙幣処理装置３の詳細について図１乃至図３を用いて説明する。
【００２４】
図１等に示すように、本実施の形態による貨幣処理機１は、略直方体形状の外側筐体１ａと、左右に並ぶよう配置され、外側筐体１ａからそれぞれ手前側に引出可能となっている硬貨処理装置２および紙幣処理装置３とを備えており、硬貨処理装置２や紙幣処理装置３の上方にはＰＯＳレジスタ（図示せず）が載置されるようになっている。硬貨処理装置２および紙幣処理装置３は、それぞれ、硬貨や紙幣の入金処理および出金処理を行うようになっている。以下、紙幣処理装置３の構成の詳細について述べる。なお、硬貨処理装置２の詳細については説明を省略する。
【００２５】
図１および図２に示すように、紙幣処理装置３は略直方体形状の内側筐体６０を有しており、この内側筐体６０の内部には、受入部６２、払出部６４、千円紙幣収納庫７０（収納部）、五千円紙幣収納庫７２（収納部）、一万円紙幣収納庫７４（収納部）および出金リジェクト部７６がそれぞれ設けられている。なお、図２における内側筐体６０の下側の面が紙幣処理装置３を手前側から見たときの前面となり、図２における上方向が紙幣処理装置３の奥行き方向となっている。ここで、紙幣処理装置３の内側筐体６０は外側筐体１ａから手前側に引出可能となっている。また、内側筐体６０の内部には搬送部６６が設けられており、当該搬送部６６により受入部６２、払出部６４、千円紙幣収納庫７０、五千円紙幣収納庫７２、一万円紙幣収納庫７４、出金リジェクト部７６の間で紙幣を搬送するようになっている。また、搬送部６６には識別部６８が設けられており、この識別部６８は、当該識別部６８を通過する紙幣の金種、真偽、正損、新旧、搬送状態等の識別を行うようになっている。
【００２６】
搬送部６６は周回搬送部分６６ａおよびこの周回搬送部分６６ａから放射状に延びる複数の接続搬送部分６６ｂから構成されており、各接続搬送部分６６ｂの端部が受入部６２、払出部６４、千円紙幣収納庫７０、五千円紙幣収納庫７２、一万円紙幣収納庫７４および出金リジェクト部７６の各々に接続されている。より詳細には、周回搬送部分６６ａおよび各接続搬送部分６６ｂにはそれぞれ紙幣を挟みながら搬送する一対のローラが複数組設けられており、周回搬送部分６６ａや各接続搬送部分６６ｂにおいて紙幣は一対のローラの間で挟まれながら搬送されるようになっている。なお、図２では、払出部６４の手前側にある一対のローラ６６ｃのみを示しているが、図２において図示される一対のローラ６６ｃの他にも図示しない様々な一対のローラが周回搬送部分６６ａや各接続搬送部分６６ｂに設けられている。また、識別部６８は周回搬送部分６６ａに設けられており、当該識別部６８は、周回搬送部分６６ａにより搬送される紙幣の識別を行うようになっている。また、周回搬送部分６６ａと各接続搬送部分６６ｂとの接続箇所には、周回搬送部分６６ａにより搬送される紙幣を各接続搬送部分６６ｂに分岐させる分岐部材６７が設けられている。
【００２７】
図２に示すように、内側筐体６０の内部における周回搬送部分６６ａの手前側には受入部６２、一万円紙幣収納庫７４および払出部６４が横方向に並ぶよう設けられている。また、千円紙幣収納庫７０、五千円紙幣収納庫７２および出金リジェクト部７６が横方向に並ぶよう設けられている。
【００２８】
ここで、図１および図２に示すように、内側筐体６０の前面には、受入部６２の紙幣受入口６２ａおよび払出部６４の紙幣払出口６４ａが横方向に並ぶよう設けられている。図２に示すように、受入部６２には紙幣繰出機構６２ｍが設けられている。紙幣繰出機構６２ｍは繰出ローラおよび当該繰出ローラに対向する対向ローラを有しており、紙幣受入口６２ａに投入された紙幣を検知すると繰出ローラが駆動され、この紙幣受入口６２ａに投入された紙幣が繰出ローラにより１枚ずつ搬送部６６の接続搬送部分６６ｂに繰り出されるようになっている。また、払出部６４には紙幣繰出機構６４ｍおよび紙幣投出機構６４ｎ（図３参照、図２では図示せず）がそれぞれ設けられている。紙幣繰出機構６４ｍは繰出ローラおよび当該繰出ローラに対向する対向ローラを有しており、搬送部６６の接続搬送部分６６ｂから払出部６４に送られた紙幣を接続搬送部分６６ｂに戻す際に繰出ローラが駆動され、払出部６４に集積された紙幣が繰出ローラにより１枚ずつ搬送部６６の接続搬送部分６６ｂに繰り出されるようになっている。また、紙幣投出機構６４ｎは、紙幣の出金処理が行われる際に、払出部６４に集積された紙幣を紙幣払出口６４ａから内側筐体６０の外部へ投出するようになっている。
【００２９】
各紙幣収納庫７０、７２、７４は、搬送部６６の接続搬送部分６６ｂから送られた紙幣を立位状態で収納するようになっている。また、各紙幣収納庫７０、７２、７４には紙幣繰出機構７０ｍ、７２ｍ、７４ｍがそれぞれ設けられており、各紙幣収納庫７０、７２、７４に収納されている紙幣を紙幣繰出機構７０ｍ、７２ｍ、７４ｍにより１枚ずつ搬送部６６の接続搬送部分６６ｂに繰り出すことができるようになっている。
【００３０】
また、一万円紙幣収納庫７４は内側筐体６０の前面側に設けられており、当該一万円紙幣収納庫７４を内側筐体６０から取り外すことができるようになっている。ここで、紙幣処理装置３において紙幣の回収処理が行われる際には、千円紙幣収納庫７０および五千円紙幣収納庫７２にそれぞれ収納されている紙幣を搬送部６６により一万円紙幣収納庫７４に送った後、当該一万円紙幣収納庫７４を内側筐体６０から取り外すことにより、紙幣を一万円紙幣収納庫７４ごと回収することができるようになっている。
【００３１】
出金リジェクト部７６は、紙幣の出金処理が行われる際に各紙幣収納庫７０、７２、７４から搬送部６６に繰り出された紙幣のうち、斜行等の搬送異常により識別部６８で正常に識別することができない紙幣を出金リジェクト紙幣として収納するようになっている。また、受入部６２から機体内に取り込まれた紙幣のうち、汚損等により識別部６８で正常に識別することができない紙幣は入金リジェクト紙幣として払出部６４に返却されるようになっている。
【００３２】
次に、このような紙幣処理装置３の制御系の構成について図３を用いて説明する。図３に示すように、紙幣処理装置３にはＣＰＵ（中央演算処理ユニット）等の制御部８０が設けられており、受入部６２（具体的には、紙幣繰出機構６２ｍ）、払出部６４（具体的には、紙幣繰出機構６４ｍおよび紙幣投出機構６４ｎ）、搬送部６６（具体的には、周回搬送部分６６ａおよび各接続搬送部分６６ｂ）、分岐部材６７、識別部６８、紙幣収納庫７０、７２、７４（具体的には、紙幣繰出機構７０ｍ、７２ｍ、７４ｍ）がそれぞれ当該制御部８０に接続されている。そして、識別部６８による紙幣の識別結果は当該識別部６８から制御部８０に送られるようになっている。また、制御部８０は、受入部６２、払出部６４、搬送部６６、分岐部材６７、紙幣収納庫７０、７２、７４の各構成部材に指令信号を送ることによりこれらの構成部材の制御を行うようになっている。
【００３３】
また、図３に示すように、制御部８０には判別手段８２が接続されている。判別手段８２は、紙幣の出金処理が行われる際に各紙幣収納庫７０、７２、７４から搬送部６６に繰り出された紙幣が内側筐体６０の外部に払出可能であるか否かを判別するようになっている。具体的には、判別手段８２は、識別部６８による紙幣の識別結果に基づいて、当該紙幣が搬送異常等となっており正常な紙幣ではない場合には、この紙幣は内側筐体６０の外部に払出不可であると判別する。一方、識別部６８により正常な紙幣であると識別された場合には、判別手段８２はこの紙幣は内側筐体６０の外部に払出可能であると判別する。このような判別手段８２の機能の詳細については後述する。
【００３４】
次に、このような構成からなる紙幣処理装置３の動作について説明する。なお、以下に示すような紙幣処理装置３の動作は、制御部８０が紙幣処理装置３の各構成部材を制御することにより行われるようになっている。
【００３５】
まず、紙幣処理装置３において紙幣の入金処理が行われる際の動作について説明する。操作者が紙幣受入口６２ａに紙幣を投入すると、受入部６２においてこの紙幣受入口６２ａに投入された紙幣が１枚ずつ搬送部６６の接続搬送部分６６ｂに繰り出される。そして、搬送部６６の接続搬送部分６６ｂから周回搬送部分６６ａに紙幣が送られ、この周回搬送部分６６ａで紙幣が周回されることにより識別部６８によりその金種や真偽、搬送状態等の識別が行われる。ここで、識別部６８により正常であると識別された紙幣は金種毎に各紙幣収納庫７０、７２、７４に送られ、これらの各紙幣収納庫７０、７２、７４に立位状態で収納される。一方、識別部６８により識別することができなかった紙幣や識別部６８により正常ではないと識別された紙幣はリジェクト紙幣として払出部６４に送られる。払出部６４に送られたリジェクト紙幣は紙幣払出口６４ａから内側筐体６０の手前側に払い出されるため、操作者はこの紙幣払出口６４ａからリジェクト紙幣を取り出して紙幣受入口６２ａに再投入等することができるようになる。
【００３６】
次に、紙幣処理装置３において紙幣の出金処理が行われる際の動作の一例について図４に示すフローチャートを用いて説明する。紙幣処理装置３において紙幣の出金処理が行われる際に、操作者が操作表示部（図示せず）によって出金されるべき紙幣の金種毎の枚数や合計金額等の出金処理に係る情報を入力したり、外部装置から通信インターフェース部（図示せず）を介して制御部８０に出金されるべき紙幣の金種毎の枚数や合計金額等の出金処理に係る情報が送られたりすると、出金されるべき紙幣の金種に対応する各紙幣収納庫７０、７２、７４から紙幣が１枚ずつ搬送部６６の接続搬送部分６６ｂに繰り出される（ＳＴＥＰ１）。そして、搬送部６６の接続搬送部分６６ｂから周回搬送部分６６ａに紙幣が送られ、この周回搬送部分６６ａで紙幣が図２における反時計回りの方向に搬送される（ＳＴＥＰ２）。この際に、制御部８０は、各紙幣収納庫７０、７２、７４から搬送部６６に繰り出された紙幣の搬送先を払出部６４とする。そして、周回搬送部分６６ａで図２における反時計回りの方向に搬送される紙幣が識別部６８を通過すると、当該紙幣は識別部６８によりその搬送状態等の識別が行われる（ＳＴＥＰ３）。ここで、本実施の形態では、各紙幣収納庫７０、７２、７４から搬送部６６に繰り出された紙幣を、周回搬送部分６６ａを一周させずに識別部６８により識別して払出部６４に向かって搬送させるようになっている。また、識別部６８による紙幣の識別結果に基づいて、識別部６８により識別された紙幣が内側筐体６０の外部に払出可能な紙幣であるか否かが判別手段８２により判別される。なお、図４のフローチャートに示す例では、各紙幣収納庫７０、７２、７４から搬送部６６に繰り出された紙幣が払出部６４に集積されるまでに、判別手段８２による判別結果が判明するようになっている。具体的には、図２に示すような紙幣処理装置３の内部構造では、受入部６２と払出部６４との間に一万円紙幣収納庫７４が設けられており、搬送部６６における識別部６８と払出部６４との間の距離が比較的大きくなっているため、識別部６８により識別された紙幣が周回搬送部分６６ａおよび接続搬送部分６６ｂにより払出部６４に送られるまでの時間も長くなり、よって識別部６８により識別された紙幣が払出部６４に送られる前に判別手段８２による判別結果が判明する。
【００３７】
そして、識別部６８による紙幣の識別結果に基づいて、識別部６８により識別された紙幣が内側筐体６０の外部に払出可能な紙幣であると判別手段８２により判別された場合には（ＳＴＥＰ４の「ＮＯ」）、当該紙幣は払出部６４に送られ、この払出部６４に集積される（ＳＴＥＰ５）。一方、識別部６８による紙幣の識別結果に基づいて、識別部６８により識別された紙幣が搬送異常等であることによって内側筐体６０の外部に払出不可の紙幣であると判別手段８２により判別された場合には（ＳＴＥＰ４の「ＹＥＳ」）、制御部８０はこの紙幣の搬送先を払出部６４から出金リジェクト部７６に切り替え、この紙幣を搬送部６６により出金リジェクト部７６に送るよう搬送部６６を制御する（ＳＴＥＰ６）。より詳細には、識別部６８により識別された紙幣が払出部６４に送られる前において判別手段８２による判別結果が判明するタイミングとして様々なタイミングがあるが、払出部６４に接続される接続搬送部分６６ｂにおける払出部６４の手前側にある一対のローラ６６ｃ（図２参照）の間に紙幣の後端が挟まれているタイミングで当該紙幣が内側筐体６０の外部に払出不可の紙幣であると判別手段８２により判別されたときには、この紙幣は接続搬送部分６６ｂから周回搬送部分６６ａに戻される。その後、周回搬送部分６６ａにおいて図２における反時計回りの方向に搬送されることによって出金リジェクト部７６に接続される接続搬送部分６６ｂに受け渡された後、この接続搬送部分６６ｂから出金リジェクト部７６に送られるようになる。
【００３８】
また、払出部６４に接続される接続搬送部分６６ｂにおける払出部６４の手前側にある一対のローラ６６ｃの間に紙幣の先端が挟まれ、この紙幣の後端が分岐部材６７を通過しているタイミングで当該紙幣が内側筐体６０の外部に払出不可の紙幣であると判別手段８２により判別されることもある。この場合にも、当該紙幣は接続搬送部分６６ｂから周回搬送部分６６ａに戻された後、周回搬送部分６６ａにおいて図２における反時計回りの方向に搬送されることによって同様に出金リジェクト部７６に送られるようになる。また、更に別の例として、払出部６４に送られる前の紙幣の先端がこの払出部６４に接続される接続搬送部分６６ｂ上に位置しているが、この紙幣の後端が周回搬送部分６６ａに位置しているタイミングで当該紙幣が内側筐体６０の外部に払出不可の紙幣であると判別手段８２により判別されることもある。この場合にも、当該紙幣の全体が接続搬送部分６６ｂから周回搬送部分６６ａに戻された後、周回搬送部分６６ａにおいて図２における反時計回りの方向に搬送されることによって同様に出金リジェクト部７６に送られるようになる。このようにして、本実施の形態では、制御部８０は、各紙幣収納庫７０、７２、７４から搬送部６６に繰り出された紙幣の搬送先を払出部６４とし、当該紙幣が、内側筐体６０の外部に払出不可であると判別手段８２により判別された紙幣である場合には、この紙幣の搬送先を払出部６４から出金リジェクト部７６に切り替えるよう搬送部６６の制御を行う。そして、出金されるべき紙幣が全て各紙幣収納庫７０、７２、７４から払出部６４に送られ、当該払出部６４に集積されると（ＳＴＥＰ７の「ＹＥＳ」）、払出部６４に集積されている紙幣が紙幣投出機構６４ｎにより紙幣払出口６４ａから内側筐体６０の手前側に投出される（ＳＴＥＰ８）。このことにより、操作者は紙幣払出口６４ａから出金紙幣を取り出すことができるようになる。
【００３９】
なお、紙幣処理装置３において紙幣の出金処理が行われる際の動作は、図４のフローチャートに示すような動作に限定されることはない。紙幣処理装置３において紙幣の出金処理が行われる際の動作の他の例として、各紙幣収納庫７０、７２、７４から搬送部６６に繰り出された紙幣が払出部６４に集積された後に、判別手段８２による判別結果が判明するようになっていてもよい。このような動作について図５に示すフローチャートを用いて説明する。
【００４０】
紙幣処理装置３において紙幣の出金処理が行われる際に、操作者が操作表示部（図示せず）によって出金されるべき紙幣の金種毎の枚数や合計金額等の出金処理に係る情報を入力したり、外部装置から通信インターフェース部（図示せず）を介して制御部８０に出金されるべき紙幣の金種毎の枚数や合計金額等の出金処理に係る情報が送られたりすると、出金されるべき紙幣の金種に対応する各紙幣収納庫７０、７２、７４から紙幣が１枚ずつ搬送部６６の接続搬送部分６６ｂに繰り出される（ＳＴＥＰ１１）。そして、搬送部６６の接続搬送部分６６ｂから周回搬送部分６６ａに紙幣が送られ、この周回搬送部分６６ａで紙幣が図２における反時計回りの方向に搬送される（ＳＴＥＰ１２）。この際に、制御部８０は、各紙幣収納庫７０、７２、７４から搬送部６６に繰り出された紙幣の搬送先を払出部６４とする。そして、周回搬送部分６６ａで図２における反時計回りの方向に搬送される紙幣が識別部６８を通過すると、当該紙幣は識別部６８によりその搬送状態等の識別が行われる（ＳＴＥＰ１３）。なお、図５に示すフローチャートの例でも、各紙幣収納庫７０、７２、７４から搬送部６６に繰り出された紙幣を、周回搬送部分６６ａを一周させずに識別部６８により識別して払出部６４に向かって搬送させるようになっている。そして、識別部６８により識別された紙幣を搬送部６６の接続搬送部分６６ｂから払出部６４に送り、当該払出部６４に集積される（ＳＴＥＰ１４）。また、識別部６８による紙幣の識別結果に基づいて、識別部６８により識別された紙幣が内側筐体６０の外部に払出可能な紙幣であるか否かが判別手段８２により判別される。ここで、上述したように、図５に示すフローチャートの例では、各紙幣収納庫７０、７２、７４から搬送部６６に繰り出された紙幣が払出部６４に集積された後に、判別手段８２による判別結果が判明する。
【００４１】
そして、識別部６８による紙幣の識別結果に基づいて、払出部６４に新たに集積された紙幣が内側筐体６０の外部に払出可能な紙幣であると判別手段８２により判別された場合には（ＳＴＥＰ１５の「ＮＯ」）、出金されるべき紙幣が全て各紙幣収納庫７０、７２、７４から払出部６４に送られていないときには（ＳＴＥＰ１７の「ＮＯ」）、出金されるべき次の紙幣が各紙幣収納庫７０、７２、７４から搬送部６６に繰り出されるようになる。一方、識別部６８による紙幣の識別結果に基づいて、払出部６４に新たに集積された紙幣が搬送異常等であることによって内側筐体６０の外部に払出不可の紙幣であると判別手段８２により判別された場合には（ＳＴＥＰ１５の「ＹＥＳ」）、制御部８０はこの紙幣を紙幣繰出機構６４ｍにより払出部６４から搬送部６６の接続搬送部分６６ｂに繰り出すよう紙幣繰出機構６４ｍを制御する（ＳＴＥＰ１６）。そして、払出部６４から接続搬送部分６６ｂに繰り出された紙幣は当該接続搬送部分６６ｂから周回搬送部分６６ａに戻される。その後、周回搬送部分６６ａにおいて図２における反時計回りの方向に紙幣が搬送されることによって当該紙幣が出金リジェクト部７６に接続される接続搬送部分６６ｂに受け渡された後、この接続搬送部分６６ｂから出金リジェクト部７６に紙幣が送られるようになる（ＳＴＥＰ１６）。なお、本実施の形態では、払出部６４から搬送部６６に紙幣を繰り出した後、当該搬送部６６により出金リジェクト部７６に送る動作も、「紙幣の搬送先を払出部６４から出金リジェクト部７６に切り替える」という概念に含まれるものとする。
【００４２】
このようにして、図５に示すフローチャートの例でも、制御部８０は、各紙幣収納庫７０、７２、７４から搬送部６６に繰り出された紙幣の搬送先を払出部６４とし、当該紙幣が、内側筐体６０の外部に払出不可であると判別手段８２により判別された紙幣である場合には、この紙幣の搬送先を払出部６４から出金リジェクト部７６に切り替えるよう払出部６４（具体的には、紙幣繰出機構６４ｍ）および搬送部６６の制御を行う。そして、出金されるべき紙幣が全て各紙幣収納庫７０、７２、７４から払出部６４に送られ、当該払出部６４に集積されると（ＳＴＥＰ１７の「ＹＥＳ」）、払出部６４に集積されている紙幣が紙幣投出機構６４ｎにより紙幣払出口６４ａから内側筐体６０の手前側に投出される（ＳＴＥＰ１８）。このことにより、操作者は紙幣払出口６４ａから出金紙幣を取り出すことができるようになる。
【００４３】
なお、上述した紙幣処理装置３における紙幣の出金処理の動作では、識別部６８により識別された紙幣が内側筐体６０の外部に払出不可であると判別手段８２により判別された紙幣である場合に、この紙幣の搬送先が払出部６４から出金リジェクト部７６に切り替えられると、接続搬送部分６６ｂから周回搬送部分６６ａに戻された紙幣が図２における反時計回りの方向（すなわち、各紙幣収納庫７０、７２、７４から搬送部６６に繰り出された紙幣を払出部６４に向かって送る際の周回搬送部分６６ａでの紙幣の搬送方向と同方向）に搬送されて出金リジェクト部７６に接続される接続搬送部分６６ｂに送られるようになっているが、このような態様に限定されることはない。他の例として、識別部６８により識別された紙幣が内側筐体６０の外部に払出不可であると判別手段８２により判別された紙幣である場合に、この紙幣の搬送先が払出部６４から出金リジェクト部７６に切り替えられると、接続搬送部分６６ｂから周回搬送部分６６ａに戻された紙幣が図２における時計回りの方向（すなわち、各紙幣収納庫７０、７２、７４から搬送部６６に繰り出された紙幣を払出部６４に向かって送る際の周回搬送部分６６ａでの紙幣の搬送方向と逆方向）に搬送されて出金リジェクト部７６に接続される接続搬送部分６６ｂに送られるようになっていてもよい。
【００４４】
以上のように本実施の形態の紙幣処理装置３およびこのような紙幣処理装置３による紙幣処理方法（具体的には、紙幣の出金処理の動作）によれば、収納部としての各紙幣収納庫７０、７２、７４から搬送部６６に繰り出された紙幣の搬送先を払出部６４とし、当該紙幣が、内側筐体６０の外部に払出不可であると判別された紙幣である場合には、この紙幣の搬送先を払出部６４から出金リジェクト部７６に切り替えるようになっている。このことにより、各紙幣収納庫７０、７２、７４から繰り出された紙幣を払出部６４または出金リジェクト部７６に送る時間を短縮することができ、よって紙幣を内側筐体６０の外部に払い出す処理にかかる時間を短縮することができるようになる。
【００４５】
より詳細に説明すると、従来技術の紙幣処理装置では、紙幣の出金処理が行われる際に、収納部（具体的には、各紙幣収納庫）から繰り出された、出金されるべき紙幣を識別部により識別した後に、当該識別部による識別結果に基づいて搬送部から当該紙幣を周回搬送部分に設けられている分岐部材によって分岐させることにより識別後の紙幣を払出部またはリジェクト部に送るようになっていた。しかしながら、このような従来の紙幣処理装置では、識別部による紙幣の識別結果に基づいて当該紙幣が内側筐体の外部に払出可能であるか否かが判明するまでに時間がかかることにより、識別部により識別された紙幣を周回搬送部分で少なくとも一周させた後に当該周回搬送部分から分岐部材によって分岐させる必要があった。このため、従来の紙幣処理装置では、収納部から繰り出された紙幣を払出部またはリジェクト部に送る時間が長くなってしまい、よって出金処理にかかる時間も長くなってしまうという問題があった。これに対し、本実施の形態では、収納部（具体的には、各紙幣収納庫７０、７２、７４）から搬送部６６に繰り出された紙幣の搬送先を払出部６４とし、この紙幣が内側筐体６０の外部に投出可能であるか否かの判別結果が判明していなくてもこの紙幣を払出部６４に向かって周回搬送部分６６ａから分岐部材６７により接続搬送部分６６ｂに分岐させている。そして、周回搬送部分６６ａから払出部６４に接続される接続搬送部分６６ｂに紙幣が分岐させられた後、当該紙幣が内側筐体６０の外部に払出不可であると判別された紙幣である場合には、この紙幣の搬送先を払出部６４から出金リジェクト部７６に切り替えている。このような動作を行うことにより、従来技術のような識別部により識別された紙幣を周回搬送部分で少なくとも一周させた後に当該周回搬送部分から分岐部材によって分岐させる場合と比較して、収納部から繰り出された紙幣を払出部６４または出金リジェクト部７６に送る時間を短縮することができ、よって紙幣を内側筐体６０の外部に払い出す処理にかかる時間を短縮することができる。
【００４６】
なお、本実施の形態による紙幣処理装置や紙幣処理方法は、上述したような態様に限定されることはなく、様々な変更を加えることができる。
【００４７】
例えば、本実施の形態による紙幣処理装置として、図２に示すような内部構成のものの代わりに図６に示すような内部構成のものが用いられてもよい。なお、図６に示すような変形例に係る紙幣処理装置３ａを説明するにあたり、図２に示す紙幣処理装置３と同一の構成部材については同一の参照符合を付けてその説明を省略する。
【００４８】
図６に示すような変形例に係る紙幣処理装置３ａでは、内側筐体６０の内部における周回搬送部分６６ａの手前側には受入部６２、払出部６４および一万円紙幣収納庫７４が横方向に並ぶよう設けられているが、払出部６４は受入部６２の隣に配置されており、図２に示すような例と比較して搬送部６６における識別部６８と払出部６４との間の距離が短くなっている。このような変形例に係る紙幣処理装置３ａでは、図２に示す紙幣処理装置３と比較して、識別部６８により識別された紙幣が周回搬送部分６６ａおよび接続搬送部分６６ｂにより払出部６４に送られるまでの時間が短くなるため、識別部６８により識別された紙幣が払出部６４に送られる前に判別手段８２による判別結果が判明しないこともある。しかしながら、この場合でも、各紙幣収納庫７０、７２、７４から搬送部６６に繰り出された紙幣が払出部６４に集積された後に、判別手段８２による判別結果が判明したときに、払出部６４に新たに集積された紙幣が搬送異常等であることによって内側筐体６０の外部に払出不可の紙幣であると判別手段８２により判別された場合には、制御部８０はこの紙幣を紙幣繰出機構６４ｍにより払出部６４から搬送部６６に繰り出して当該搬送部６６により出金リジェクト部７６に送るようにする。このことにより、内側筐体６０の外部に払出不可の紙幣であると判別手段８２により判別された紙幣が出金されてしまうことを防止することができるようになる。
【００４９】
また、図２に示す紙幣処理装置３では、払出部６４として、当該払出部６４に集積された紙幣を紙幣払出口６４ａにより内側筐体６０の外部へ放出する紙幣投出機構６４ｎが設けられたものが用いられているが、このような態様に限定されることはない。変形例に係る紙幣処理装置の払出部において、紙幣を紙幣払出口から内側筐体の外部へ投出する紙幣投出機構が設けられておらず、当該払出部に紙幣が集積された後に操作者が紙幣払出口に手を入れることによってこの集積された紙幣を手で取り出すような構成のものが用いられてもよい。また、図４のフローチャートに示すように、各紙幣収納庫７０、７２、７４から搬送部６６に繰り出された紙幣が払出部６４に集積されるまでに、判別手段８２による判別結果が判明するようになっている場合には、払出部６４において紙幣繰出機構６４ｍの設置が省略されるようになっていてもよい。
【００５０】
また、本実施の形態では、各紙幣収納庫７０、７２、７４から搬送部６６に繰り出された紙幣が識別部６８により識別された後に払出部６４または出金リジェクト部７６に送られ、これらの払出部６４または出金リジェクト部７６に集積されると、次の紙幣が各紙幣収納庫７０、７２、７４から搬送部６６に繰り出されるようになっているが、このような態様に限定されることはない。変形例に係る紙幣処理装置において、紙幣の出金処理が行われる際に、搬送部６６の周回搬送部分６６ａや各接続搬送部分６６ｂに複数枚の紙幣が存在するよう、各紙幣収納庫７０、７２、７４から搬送部６６に紙幣が順次繰り出されるようになっていてもよい。この場合には、識別部６８により識別された紙幣が内側筐体６０の外部に払出不可の紙幣であると判別手段８２によって判別されたときに、搬送部６６上にある他の紙幣が元の紙幣収納庫７０、７２、７４に戻された後、内側筐体６０の外部に払出不可の紙幣であると判別された紙幣が搬送部６６により出金リジェクト部７６に送られるようになる。
【００５１】
また、図２に示す紙幣処理装置３では、搬送部６６として周回搬送部分６６ａおよび接続搬送部分６６ｂを有するものが用いられているが、このような態様に限定されることはない。変形例に係る紙幣処理装置において、各紙幣収納庫から払出部まで線状の搬送路を有する搬送部が設けられており、この線状の搬送路が途中で分岐して分岐先に払出部および出金リジェクト部が設けられていてもよい。この場合でも、本実施の形態では、各紙幣収納庫から搬送部に繰り出された紙幣の搬送先を払出部とし、この紙幣が内側筐体の外部に投出可能であるか否かの判別結果が判明していなくてもこの紙幣を払出部に向かって分岐箇所から払出部側に分岐させる。そして、払出部に向かって分岐箇所から払出部側に紙幣が分岐させられた後、当該紙幣が内側筐体の外部に払出不可であると判別された紙幣である場合には、この紙幣の搬送先を払出部から出金リジェクト部に切り替える。具体的には、紙幣を分岐箇所よりも手前側（すなわち、各紙幣収納庫側）に戻し、その後にこの紙幣を分岐箇所で出金リジェクト部側に分岐させる。このような動作を行うことにより、紙幣収納庫から繰り出された紙幣を払出部または出金リジェクト部に送る時間を短縮することができ、よって紙幣を内側筐体の外部に払い出す処理にかかる時間を短縮することができる。
【００５２】
また、上記の説明では紙幣の処理を行う紙幣処理装置について述べたが、本発明に係る紙葉類処理装置として、紙幣以外の紙葉類（例えば、小切手や商品券等）の処理を行うものが用いられてもよい。
【符号の説明】
【００５３】
１      貨幣処理機
１ａ    外側筐体
２      硬貨処理装置
３、３ａ  紙幣処理装置
６０    内側筐体
６２    受入部
６２ａ  紙幣受入口
６２ｍ  紙幣繰出機構
６４    払出部
６４ａ  紙幣払出口
６４ｍ  紙幣繰出機構
６４ｎ  紙幣投出機構
６６    搬送部
６６ａ  周回搬送部分
６６ｂ  接続搬送部分
６６ｃ  ローラ
６７    分岐部材
６８    識別部
７０    千円紙幣収納庫
７０ｍ  紙幣繰出機構
７２    五千円紙幣収納庫
７２ｍ  紙幣繰出機構
７４    一万円紙幣収納庫
７４ｍ  紙幣繰出機構
７６    出金リジェクト部
８０    制御部
８２    判別手段
【図１】
2018194999.tif 000003
【図２】
2018194999.tif 000004
【図３】
2018194999.tif 000005
【図４】
2018194999.tif 000006
【図５】
2018194999.tif 000007
【図６】
2018194999.tif 000008